(57)【要約】【課題】ポンチ取り付け及び取り外しに工具を必要とせず、しかもポンチを回さなくてもポンチを確実に取り付けることができる、ポンチ取付構造を提供する。【解決手段】ポンチ嵌挿孔１Ａ及びポンチ挿入側に溝部１Ｂを有するリテーナ１と、リテーナ１の溝部１Ｂでスライドするスライドブロック２と、ポンチ側部を囲む一対のロック部材３Ａ，３Ｂと、該ロック部材３Ａ，３Ｂの各々とスライドブロック２とを連結する一対の連結部材４Ａ，４Ｂと、スライドブロック２を一定の方向に付勢する付勢手段５とを備え、スライドブロック２が付勢手段５で付勢されている状態で連結部材４Ａ，４Ｂで一対のロック部材３Ａ，３Ｂが閉状態となり、ポンチ嵌挿孔１Ａに嵌め込まれたポンチ６の側部６Ａを把握する。【選択図】図１
2009039738.tif 000002
【特許請求の範囲】
【請求項１】
ポンチ嵌挿孔及びポンチ挿入側に溝部を有するリテーナと、ポンチ側部を囲む一対のロック部材と、上記リテーナの溝部でスライドするスライドブロックと、上記一対のロック部材の各々と上記スライドブロックとをそれぞれ連結する一対の連結部材とが設けられ、
上記スライドブロックが付勢されていることで上記一対の連結部材により上記一対のロック部材が閉状態となり、上記ポンチ嵌挿孔に嵌め込まれたポンチ側部を把握することを特徴とする、ポンチ取付構造。
【請求項２】
前記リテーナの溝部には付勢手段が収容され、該付勢手段の一端が前記スライドブロックに当接して前記一対のロック部材を閉状態となるよう付勢していることを特徴とする、請求項１に記載のポンチ取付構造。
【請求項３】
前記一対のロック部材の各々が半円弧状であり、各ロック部材が中心軸部を介して円弧状に連結され、
前記ポンチ側部には周回りに凹み部が備えられ、
前記スライドブロックが付勢されていることで、上記一対のロック部材における内周縁部が上記凹み部に挿入することを特徴とする、請求項１に記載のポンチ取付構造。
【発明の詳細な説明】
【技術分野】
【０００１】
本発明は、ポンチをリテーナに取り付けるポンチ取付構造に関する。
【背景技術】
【０００２】
従来、シートやフィルム状の材料を打ち抜いたり穴抜きしたりするため、ポンチが使用されている。このポンチをポンチ支持部材、いわゆるリテーナに取り付ける装置として様々なものが開発されている。その中でも、ポンチ取り付けや取り外しの際にリテーナを取り外す必要のないポンチ取付装置が考えられている（例えば特許文献１）。
【０００３】
特許文献１に開示されているポンチ取付装置について説明する。図５は特許文献１に開示された従来のポンチ取付装置５０の断面を示し、（Ａ）はポンチ取り外し可能状態を、（Ｂ）はポンチ取付状態を示している。なお、図中、ポンチ５５の取り出し方向を＋ｙ方向とし、それに対して直交する２方向を＋ｘ方向、＋ｚ方向としている。
【０００４】
図５に示すリテーナ５１は、打ち抜き装置や穴抜き装置（何れも図示せず）に固定されたダイセット６０に、ノックピン（図示せず）で位置決めされ、取付ボルト（図示せず）で固定されることで、ポンチ５５を打ち抜き装置や穴抜き装置に取り付けるようになっている。図示するように、リテーナ５１にはポンチ嵌挿孔５２と直交するように溝部５３が設けられ、この溝部５３にスライドブロック５４が配設されている。スライドブロック５４がポンチ５５の平取部５５Ａに係合することでポンチ５５が係止される。スライドブロック５４のポンチ嵌挿孔５２側には係合凸部５４Ａが設けられ、係合凸部５４Ａにはテーパ部５４Ｂが設けられている。スライドブロック５４のリテーナ側には凹部５４Ｃが設けられている。凹部５４Ｃに圧縮コイルスプリング５６とスプリングピン５７の一端部とが差し込まれている。凹部５４Ｃに設けられたピン孔５８にスプリングピン５７の他端部が嵌合しているので、スライドブロック５４がポンチ側に付勢されている。なお、溝部５３においてポンチ嵌挿孔５２と逆側に止め螺子５９が取り付けられていることで、止め螺子５９がスライドブロック５４を係止している。
【０００５】
リテーナ５１にポンチ５５を取り付ける場合、作業者はポンチ５５をリテーナ５１のポンチ嵌挿孔５２に押し込む。すると、ポンチ基端部５５Ｂがスライドブロック５４の先端の係合凸部５４Ａに接触する。ポンチ５５が押し込まれる力でスライドブロック５４を−ｘ方向にスライドさせ、ポンチ基端部５５Ｂがダイセット６０に当接する。このとき、ポンチ５５の平取部５５Ａにスライドブロック５４の係合凸部５４Ｂが係合していなければ（図５（Ａ）の状態）、作業者はポンチ５５を軸回りに回転させることで、図５（Ｂ）に示すように係合凸部５４Ａと平取部５５Ａとが係合する。
【０００６】
ポンチ５５をリテーナ５１から取り外す場合、作業者はポンチ５５を軸回りに略９０度回すと、図５（Ｂ）から図５（Ａ）の状態となり、スライドブロック５４の係合凸部５４Ａがポンチ５５の平取部５５Ａから外れてリテーナ５５を引き抜くことができる。
【０００７】
【特許文献１】実開昭６３年１５７４３１号公報
【発明の開示】
【発明が解決しようとする課題】
【０００８】
図５に示すポンチ取付装置５０では、確かにポンチ５５を交換する際にレンチなどの一般的な工具や専用工具を使用する必要がない。しかしながら、ポンチ５５の平取部５５Ａがスライドブロック５４と係合する部分は外部から見えない。そのため、ポンチ５５が確実に取り付けられていることを作業者は外部から確認することができない。
【０００９】
ポンチ５５の平取部５５Ａのみがスライドブロック５４の係合凸部５４Ａと接触してポンチ５５を係止する。よって、作業者は、ポンチ５５の平取部５５Ａがスライドブロック５４の係合凸部５４Ａ側に向くようにポンチ５５を回した後にポンチ５５をポンチ嵌挿孔５２に嵌め込むか、又は、ポンチ５５をポンチ嵌挿孔５２に嵌めた後にポンチ５５の軸回りに回す必要がある。
【００１０】
係合凸部５４Ａが平取部５５Ａに係合することでポンチ５５がリテーナ５１に取り付けられるため、ポンチ５５がリテーナ５１に安定して取り付けられていない場合も生じる。特にポンチ５５が回転すると、ポンチ５５の平取部５５Ａとスライドブロック５４の係合凸部５４Ａとの係合が容易に外れ、ポンチ５５が脱落する可能性がある。
【００１１】
本発明は、上記課題に鑑み、ポンチ取付け及び取り外しに工具を必要とせず、しかもポンチを周方向に回転させるなどの調整を行わずに、ポンチを確実に取り付けることができる、ポンチ取付構造を提供することを目的とする。
【００１２】
本発明は、上記目的を達成するために、ポンチ嵌挿孔及びポンチ挿入側に溝部を有するリテーナと、ポンチ側部を囲む一対のロック部材と、リテーナの溝部でスライドするスライドブロックと、一対のロック部材の各々とスライドブロックとをそれぞれ連結する一対の連結部材とが設けられ、スライドブロックが付勢されていることで一対の連結部材により一対のロック部材が閉状態となり、ポンチ嵌挿孔に嵌め込まれたポンチ側部を把握することを特徴とする。この構成により、スライドブロックを付勢に対抗してスライドさせることで一対のロック部材が開状態となってリテーナのポンチ嵌挿孔にポンチを押し込むことができ、スライドブロックが付勢により元に戻るため一対のロック部材が閉状態となり、ロック部材でポンチ側部を把握する。
【００１３】
好ましくは、リテーナの溝部には付勢手段が収容され、付勢手段の一端がスライドブロックに当接して一対のロック部材を閉状態となるよう付勢している。この構成により、スライドブロックが付勢手段で付勢された状態では一対のロック部材が閉状態となり、ロック部材でポンチ側部を把持する。
【００１４】
好ましくは、一対のロック部材の各々が半円弧状であり、各ロック部材が中心軸部を介して円弧状に連結され、ポンチ側部には周回りに凹み部が備えられ、スライドブロックが付勢されていることで、一対のロック部材における内周縁部が凹み部に挿入する。この構成により、一対のロック部材がポンチ側部の凹み部に挿入され、スライドブロックの付勢により一対のロック部材が閉状態となり確実にポンチを把持する。
【発明の効果】
【００１５】
本発明のポンチ取付装置によれば、スライドブロックを付勢に対抗してスライドさせることで一対のロック部材が開状態となり、ポンチ嵌挿孔にポンチを押し込むことが可能となる一方、スライドを解除すると、付勢でスライドブロックが元に戻るので一対のロック部材が閉状態となり、一対のロック部材でポンチ側部全周を把握する。よって、ポンチ取り付けや取り外しなどの交換時に各種工具を準備する必要がなく、しかもポンチを回す必要がない。一対のロック部材の開閉及び一対のロック部材によるポンチ側部の把持は外部から視認できるので、ポンチが取り付けられていることを容易にかつ確実に確認することができる。
【発明を実施するための最良の形態】
【００１６】
以下、添付図面を参照しながら、本発明の実施形態を説明する。
図１〜図３は実施形態に係るポンチ取付構造を示し、図１はＸ１−Ｘ２線に沿う断面図、図２は平面図である。図３は取り付けられるポンチの正面図である。図４は、図２において付勢手段に抗してスライドブロックをスライドさせたときの状態を示す平面図である。
【００１７】
この実施形態に係るポンチ取付構造では、ポンチ嵌挿孔１Ａ及びポンチ挿入側に溝部１Ｂを有するリテーナ１と、リテーナ１の溝部１Ｂでスライドするスライドブロック２と、ポンチ側部を囲む一対のロック部材３Ａ，３Ｂと、一対のロック部材３Ａ，３Ｂの各々とスライドブロック２とを連結する一対の連結部材４Ａ，４Ｂと、スライドブロック２を一定の方向（−Ｘ方向）に付勢する付勢手段５とが備えられている。スライドブロック２が付勢手段５で−Ｘ方向に付勢されている状態で連結部材４Ａ，４Ｂにより一対のロック部材３Ａ，３Ｂが閉状態となり、ポンチ嵌挿孔１Ａに嵌め込まれたポンチ６の側部６Ａを把握する。図では、スライドブロック２を付勢手段５に抗してスライドさせる方向を＋Ｘ方向とし、ポンチ６が引き抜かれる方向を＋Ｙ方向とし、これらの何れにも直交する方向を＋Ｚ方向としている。
【００１８】
ポンチ取付構造の具体的な構成についてさらに説明する。ポンチ６は、図３に示すように、ポンチ基端部６Ｂから所定の距離離れた側部６Ａに全周にわたって凹み部６Ｃが備えられている。ロック部材３Ａ，３Ｂにおける内周縁部３Ｃがこの凹み部６Ｃに部分的に挿入されることから、凹み部６Ｃはロック部材挿入部となる。
【００１９】
ポンチ支持部材であるリテーナ１について説明する。リテーナ１は、抜き打ち装置や穴抜き装置などの各種装置に取り付けられたダイセット（図示せず）に取り付けられる。その際、リテーナ１の取付ボルト孔に取付ボルト１Ｃが挿入されて締め付けられることで、リテーナ１がダイセットに固定される。取付ボルト１Ｃの頭部がリテーナ１から突出しないように取付ボルト孔の寸法が設定されていることが好ましい。リテーナ１において二つの取付ボルト孔の間にはスライドブロック２のスライド方向（＋Ｘ方向）に沿って溝部１Ｂが設けられている。
【００２０】
スライドブロック２は、水平部２Ｂとこの水平部２Ｂの両端部から互いに逆方向に立設される挿入部２Ａと摘み部２Ｃとで一体構成され、挿入部２Ａが溝部１Ｂに挿入される。リテーナ１の溝部１Ｂには付勢手段５として圧縮コイルスプリングが配置される。圧縮コイルスプリング５の一端はスライドブロック２の挿入部２Ａに当接し、他端は挿入部２Ａと対向するリテーナ１における対向面１Ｄに当接している。よって、スライドブロック２は常に−Ｘ方向に付勢されている状態となる。なお、圧縮コイルスプリング５の軸にはロッド７が挿通され、ロッド７の一端部が対向面１Ｄに埋設され、他端部は挿入部２Ａを貫通してフランジ７Ａで挿入部２Ａに固定されている。
【００２１】
水平部２Ｂには摘み部２Ｃの立設方向に沿って軸部８Ａが立設されている。この軸部８Ａを支軸として一対の連結部材４Ａ，４Ｂ同士で鋭角をなすように一対の連結部材４Ａ，４Ｂが連結されている。リテーナ１には、ポンチ嵌挿孔１Ａ近傍に中心軸部８Ｂが立設されている。この中心軸部８Ｂを支軸として一対のロック部材３Ａ，３Ｂが連結されている。一対のロック部材３Ａ，３Ｂは何れも半円弧状の内周縁部３Ｃ及び外周縁部３Ｄを有し、ロック部材３Ａとロック部材３Ｂとが中心軸部８Ｂで連結されているので、ロック部材３Ａ及び３Ｂの一端部同士が接触したり、ロック部材３Ａ及び３Ｂの一端部同士が離れたりすることができる。
【００２２】
ロック部材３Ａ及び３Ｂには、連結軸部８Ｃ，８Ｄが、ポンチ嵌挿孔１Ａを中心として軸部８Ｂから逆方向にそれぞれ離れた位置に立設されている。連結軸部８Ｃで連結部材４Ａとロック部材３Ａが連結され、連結軸部８Ｄで連結部材４Ｂとロック部材３Ｂとが連結されている。よって、スライドブロック２が付勢手段５で−Ｘ方向に付勢されている場合、図２に示すように、連結部材４Ａと連結部材４Ｂとのなす角は最も小さくロック部材３Ａ及び３Ｂは両者でドーナツ状となり、一対のロック部材は閉状態となる。逆に、スライドブロック２が＋Ｘ方向にスライドされている場合、図４に示すように、連結部材４Ａ及び連結部材４Ｂが軸部８Ａでなす角は最も大きくロック部材３Ａ及び３Ｂの一端部同士は非接触となり、一対のロック部材３Ａ，３Ｂは開状態となる。
【００２３】
ここで、ポンチ６の取り付け方法及び取り外し方法を説明する。
ポンチ６を取り付ける場合、先ず、作業者が手でスライドブロック２を付勢手段５の付勢力に抗して＋Ｘ方向にスライドさせる。すると、軸部８Ａを中心に連結部材４Ａ，４Ｂのなす角は大きくなり中心軸部８Ｂを中心に各ロック部材３Ａ，３Ｂが回動し、図４に示すように一対のロック部材３Ａ，３Ｂが開状態となる。次に、作業者がポンチ６をポンチ嵌挿孔１Ａに押し込んで嵌め込み、スライドブロック２から手を放す。すると、スライドブロック２が付勢手段５による付勢力で−Ｘ方向に移動して元に戻りながら、中心軸部８Ｂを中心にロック部材３Ａとロック部材３Ｂとが互いに逆向きに回動し、図２に示すように一対のロック部材３Ａ，３Ｂが閉状態となる。これで、一対のロック部材３Ａ，３Ｂの内周縁部３Ｃがポンチ６の側部６Ａの凹部６Ｃに嵌り込み、ポンチ６がリテーナ２に把持される。
【００２４】
逆にポンチ６を取り外す場合、作業者が手でスライドブロック２を付勢手段５の付勢力に抗して＋Ｘ方向にスライドさせる。すると、連結部材４Ａ，４Ｂが軸部８Ａを中心に拡がり各ロック部材３Ａ，３Ｂが中心軸部８Ｂを中心に回動し、図４（ポンチ６は図示していない。）に示すように一対のロック部材３Ａ，３Ｂが開状態となる。この状態で、ポンチ６をポンチ嵌挿孔１Ａから引き抜くことができる。
【００２５】
本実施形態のポンチ取付構造では、スライドブロック２を付勢力に逆らって＋Ｘ方向のスライド方向にスライドさせることでロック部材３Ａ，３Ｂが開状態となり、スライドブロック２のスライドを止めると、付勢力でロック部材３Ａ，３Ｂが閉状態となる。よって、穴抜き用のポンチ６の側部全周をロック部材３Ａ，３Ｂで把持したり、把持を解除することができる。よって、ロック部材３Ａ，３Ｂでポンチ側部全周を把持することができ、ポンチ６を安定に取り付けることができる。作業者は、スライドブロック２の進退やロック部材３Ａ，３Ｂによるポンチ側部の凹み部６Ｃへの嵌り込みなどを外部から容易に目視で確認することができる。
【００２６】
また図５に示す従来のポンチ取付装置５０におけるスライドブロック５４とは異なり、ロック部材３Ａ，３Ｂでポンチ６の側部全周を把持するため、第１に、従来のようにポンチの取り付け及び取り外しの際に軸回りに回転させる必要もない。第２に、ポンチ６が仮に回転しても脱落することもない。第３に、ポンチ６が安定に保持されるので穴抜きや打ち抜きの品質にバラツキが生じ難くなり精度が向上する。
【００２７】
以上実施形態について説明したが、本発明の範囲内で適宜変更して実施することができることはいうまでもない。ポンチ取付構造における各部材は図示した形状や大きさに限定されるものではなく、ポンチ取付構造が適用される打ち抜き装置や穴抜き装置などの各種装置に応じて適宜変更して実施できる。
【図面の簡単な説明】
【００２８】
【図１】実施形態に係るポンチ取付構造のＸ１−Ｘ２線に沿う断面図である。
【図２】実施形態に係るポンチ取付構造の平面図である。
【図３】取り付けられるポンチの正面図である。
【図４】図２において付勢手段に抗してスライドブロックをスライドさせたときの状態を示す平面図である。
【図５】従来のポンチ取付装置の断面図であり、（Ａ）はポンチ取り外し可能状態を、（Ｂ）はポンチ取付状態を示している。
【符号の説明】
【００２９】
１：リテーナ
１Ａ：ポンチ嵌挿孔
１Ｂ：溝部
１Ｃ：取付ボルト
１Ｄ：対向面
２：スライドブロック
２Ａ：挿入部
２Ｂ：水平部
２Ｃ：摘み部
３Ａ，３Ｂ：ロック部材
３Ｃ：内周縁部
３Ｄ：外周縁部
４Ａ，４Ｂ：連結部材
５：付勢手段（圧縮スプリングコイル）
６：ポンチ
６Ａ：側部
６Ｂ：ポンチ基端部
６Ｃ：凹み部
７：ロッド
７Ａ：フランジ
８Ａ：軸部
８Ｂ：中心軸部
８Ｃ，８Ｄ：連結軸部
【図１】
2009039738.tif 000003
【図２】
2009039738.tif 000004
【図３】
2009039738.tif 000005
【図４】
2009039738.tif 000006
【図５】
2009039738.tif 000007